(57)【要約】      （修正有）【課題】生体へ与える損傷を抑えながら捕獲効率を高めた水生浮遊生物捕獲器を提供する。【解決手段】腕部１と、腕部１の上方の一部を覆う延展部２と、腕部１の上方で延展部２が配置されない開口部１０を有し、延展部２の縁辺中心近傍に取付部４を設置する。【選択図】図２
0003176615.tif 000002
【実用新案登録請求の範囲】
【請求項１】
水上より水中に視認される水生浮遊生物を捕獲するための水生浮遊生物捕獲器において、当該水生浮遊生物捕獲器は、碗部１、延展部２、取付部４及び開口部１０からなり、碗部１の上端周縁の一部に接し、碗部１の凹面の上方の一部を覆うように略１／４球形状、または略ドーム状に延展して設けられた延展部２を配置し、さらに当該延展部２が配置されない開口部１０を有し、当該開口部１０の大きさは、碗部１、延展部２及び開口部１０を合わせた外側総面積の略１／４から１／１０を占め、当該延展部２に形成された延展部の縁辺中心３の近傍に取付部４を設置し、当該取付部４に、既存の魚釣用たも網の柄１３を着脱可能に取り付け、当該魚釣用たも網の柄１３の軸方向に対し、略垂直方向に、碗部の縁辺６が形成されていることを特徴とする水性浮遊生物捕獲器
【請求項２】
当該水生浮遊生物捕獲器において、碗部１と延展部２が一体的に形成された構造とすることを特徴とする請求項１記載の水生浮遊生物捕獲器
【請求項３】
当該水生浮遊生物捕獲器において、開口部１０の露出した碗部の縁辺６の長さが、延展部の縁辺７の長さより短いことを特徴とする請求項１または請求項２記載の水生浮遊生物捕獲器
【請求項４】
当該水生浮遊生物捕獲器において、開口部１０側における碗部の縁辺６と延展部の縁辺７の接合点８における角度は略直角から３０度とし、当該接合点８近傍はテーパーまたはアールを形成したことを特徴とする請求項１、請求項２または請求項３記載の水生浮遊生物捕獲器
【請求項５】
当該水生浮遊生物捕獲器において魚釣用たも網の柄１３と取付部４の取り付け構造は、着脱可能なネジ式、または勘合式とすることを特徴とする請求項１、請求項２、請求項３または請求項４記載の水生浮遊生物捕獲器
【請求項６】
当該水生浮遊生物捕獲器には、開口部１０を除いて、穴、隙間がないことを特徴とする請求項１、請求項２、請求項３、請求項４または請求項５記載の水生浮遊生物捕獲器
【請求項７】
当該水生浮遊生物捕獲器において開口部１０に露出した碗部の縁辺６および延展部の縁辺７の表面はバリ取または磨きを施し、あるいは、当該縁辺の折り曲げ加工を施し、または、シリコン樹脂、ゴム、石油化学製品により被覆したことを特徴とする請求項１、請求項２、請求項３、請求項４、請求項５または請求項６記載の水生浮遊生物捕獲器
【請求項８】
当該水生浮遊生物捕獲機の碗部１の一部に平面部９を設けたことを特徴とする請求項１、請求項２、請求項３、請求項４、請求項５、請求項６または請求項７記載の水生浮遊生物捕獲器
【請求項９】
当該水生浮遊生物捕獲器の魚釣用たも網の柄に照明器具１３が設置されていることを特徴とする請求項１、請求項２、請求項３、請求項４、請求項５、請求項６、請求項７、または請求項８記載の水生浮遊生物捕獲器
【考案の詳細な説明】
【技術分野】
【０００１】  本考案は、海水域・汽水域、または、淡水域における、クラゲ類などの水生浮遊生物の生体捕獲を行うために既存の魚釣用たも網の柄の先へ網に換えて取り付ける柄杓状の器に関するものである。
【背景技術】
【０００２】  教育・研究機関、水族館、水生生物取扱業者、そして、一般家庭において、クラゲ類などの遊泳力がないか、あるいは遊泳力の微弱で脆弱な水生浮遊生物の生体を展示、飼育、実験、または、販売などを目的とした採集・捕獲が行われるようになってきた。これまでの水生浮遊生物の捕獲では、潜水具を身につけて水中に入り探して捕らえる、または、市販の柄杓などで喫水線近傍の水生浮遊生物を掬い捕らえるなどの方法で行っていた。しかし、これらの捕獲方法では、水中・船上・陸上などの捕獲場所によって捕獲準備に手間がかかるほか、足場の高い陸上や船上からの捕獲においては、水生浮遊生物のように捕獲者から離れた水中で漂う生体を水とともに掬い捕らえる方法で行っても、届かない、大型の柄杓などで掬っても水とともにこぼれる、捕獲範囲が狭い、あるいは、深刻な外傷を負わせるなど十分に機能を発揮する道具が無く、捕獲効率が良いとはいえなかった。
【先行技術文献】
【特許文献】
【０００３】
【特許文献１】  特開２００４−１６１１８（Ｐ２００４−１６１１８Ａ）
【特許文献２】  実開平６−７５１６０
【考案の概要】
【０００４】  クラゲ類などの水生浮遊生物の捕獲において、生体へ与える損傷を抑えながら捕獲効率も高めた、持ち運びと取扱いが容易な捕獲器の考案。
【考案が解決しようとする課題】
【０００５】  次のような問題点があった。
（イ）クラゲ類など脆弱な水生浮遊生物の捕獲では、生体へ出来る限り損傷を与えないことが重要である。生体の損傷は、その後の飼育における形態の維持を困難にするとともに、生残率を著しく低下させる。すなわち、クラゲ類など脆弱な水生浮遊生物の捕獲では、水と一緒に生物を掬いあげることが望ましく、網やざるなど水が流出する穴や隙間の開いた道具の使用ができない。
（ロ）水中に視認できる水生浮遊生物の捕獲では、柄杓など既存の器が付いた道具を使用しても目的の水生浮遊生物まで届かない、あるいは届いても水とともに器の縁から流出しやすく捕獲効率がよくない。
（ハ）喫水より離れた足場から水中に視認できる水生浮遊生物の捕獲において、長い棒の先に既存の柄杓などの器が付いた道具を取り付けて捕獲を行った場合も、（ロ）同様、水生浮遊生物を器の縁から流出させずに引き寄せてから水面より掬い上げることが容易でない。
（ニ）昼夜を問わず、水際で水生浮遊生物の捕獲を行う道具は、安全性を考慮し携行しやすく、取り扱いの容易な道具が望ましい。
上記の諸問題について解決することを課題とした。
【課題を解決するための手段】
【０００６】  水上より水中に視認される水生浮遊生物を捕獲するための当該水生浮遊生物捕獲器は、碗部１、延展部２、取付部４、そして、開口部１０から成る。当該捕獲器は、伸縮自在な既存の魚釣用たも網の柄１３の先に、着脱可能なネジ式、または、勘合式の形状を成す取付部４を延展部の縁辺中心３の近傍に有し、既存の魚釣用たも網の柄１３に接続することで、携行および取扱いが容易となる。さらに、水中に漂い視認できる水生浮遊生物の生体を水と一緒に捕らえ、次に引き寄せ、足元の喫水面から垂直方向にひき上げ収容することが可能となる。また、当該捕獲器は、碗部１の上端周縁の一部に接し、碗部１の凹面の上方の一部を覆うように略１／４球形状、または略ドーム状に延展して設けられた延展部２を配置することで、水面で当該捕獲器を引き寄せる際に当該捕獲器内部への水の流入を抑え水生浮遊生物が流出しにくい構造を成す。水生浮遊生物が流出しない構造の特徴は、開口部１０の露出した碗部の縁辺６の長さが、延展部の縁辺７の長さより短い。また、開口部１０における碗部の縁辺６と延展部の縁辺７の接合点８における角度が、略直角から３０度で、当該接合点８近傍は、テーパーもしくはアールを形成する。さらに、碗部の縁辺６は、取付部４に取り付けた既存の魚釣用たも網の柄１３の軸方向に対し、略垂直方向の形状を成し、開口部１０の大きさが、碗部１と延展部２及び開口部１０を合わせた外側総面積の略１／４から１／１０を占めることである。
クラゲ類などの脆弱な水生浮遊生物の捕獲では、水と水生浮遊生物を一緒に掬い上げることが望ましい。当該水生浮遊生物捕獲器は、水生浮遊生物の捕獲時の水の流入と流出による損傷を抑えるために、開口部１０を除いて網目や穴、隙間が無い。さらに、当該捕獲器の部材を加工する際は、開口部１０に露出した碗部の縁辺６及び延展部縁辺７の表面はバリ取または磨きを施し、あるいは、当該縁辺の折り曲げ加工を施し、または、シリコン樹脂、ゴム、石油化学製品により被覆するなど、滑らかな保護加工を施すことで開口部１０の縁辺と水生浮遊生物との接触による生体への擦過症や損傷を軽減し、捕獲後の生体の形体維持と生残率の向上を図っている。
当該水生浮遊生物捕獲器を安定させて置くために、当該捕獲器の底面または、側面の一部に平面部９を設ける。また、夜間の水生浮遊生物の捕獲では、水上より水生浮遊生物の視認と捕獲を容易にするため、当該水生浮遊生物捕獲器を接続している既存の魚釣用たも網の柄に防水照明器具１５を取り付け点灯し効率を上げる。
【考案の効果】
【０００７】  本考案の水生浮遊生物捕獲器は、沿岸の足場の安全な陸上もしくは船上から水中に漂う視認可能な水生浮遊生物の生体を既存の魚釣用たも網の柄の先に容易に接続し、損傷がないか、あるいは格段に軽減した状態で捕獲を行うことができる。しかも、当該捕獲器を用いた水生浮遊生物の収容では、図４で示すように、柄杓などを用いた場合とは異なる碗部１とドーム状の延展部２を有する形状の特徴により、引き寄せる際に当該捕獲器の外部から内部へ捕獲した水生浮遊生物を流出させる水の流れ込みが抑えられる。そして、取り込みの際は、碗部１に捕獲生物が収まり、水面より垂直に収容できることから、捕獲及び収容の効率を向上させ実用的である。これまで当該水生浮遊生物捕獲器を使用して捕獲した生物は、当該捕獲器の内径とほぼ同大または、それ以下の大きさのクラゲ類、遊泳するショウワアメフラシ・多毛類（ウミケムシ）・ヒラムシ類・甲殻類の幼生・魚類の仔稚魚など多様である。クラゲ類の例では、ミズクラゲ、アカクラゲ、スナイロクラゲ、アンドンクラゲ、ウラシマクラゲ、カミクラゲ、オワンクラゲ、ドフラインクラゲ、ヒトエクラゲ、カラカサクラゲ、有櫛動物門のカブトクラゲ、ツノクラゲ、チョウクラゲ、フウセンクラゲ、ウリクラゲなど水族館の展示や観賞・実験にも適する良好な状態で捕獲した実績を持つ。
【図面の簡単な説明】
【０００８】
【図１】本発明の斜視図
【図２】水生浮遊生物捕獲器を示した平面図  Ａ  当該捕獲器の開口部１０を右に向けた、上からの平面図  Ｂ  当該捕獲器の開口部１０を右に向けた、側面の平面図  Ｃ  当該捕獲器の開口部１０を正面に向けた平面図
【図３】水生浮遊生物捕獲器の断面図  Ａ  当該捕獲器の開口部１０を右に向けた、側面からの断面図  Ｂ  水１２と水生浮遊生物１１の収容を想定した、側面からの断面図
【図４】水生浮遊生物捕獲器の使用方法を示した説明図  Ａ  水１２と一緒に水生浮遊生物を捕獲する図  Ｂ  水１２と一緒に水生浮遊生物を納めた当該捕獲器を水面で引き寄せる方法を示した説明図  Ｃ  水１２と一緒に水生浮遊生物を納めた当該捕獲器を水面からひき上げる方法を示した説明図  Ｄ  水生浮遊生物捕獲器を夜間に使用し防水機能を有する照明器具１５を点灯した説明図
【考案を実施するための形態】
【０００９】  図１で示すように、水上より水中に視認される水生浮遊生物を捕獲するための水生浮遊生物捕獲器は、碗部１、延展部２、取付部４、そして、開口部１０からなる。当該捕獲器の延展部２は、碗部１の上端周縁の一部に接し、碗部１の凹面の上方の一部を覆うように略１／４球形状、または略ドーム状に延展して設け配置する。当該水生浮遊生物捕獲器において、碗部１と延展部２は、一体的に形成された構造とする。さらに当該延展部２が配置されない開口部１０を有する。当該開口部１０の大きさは、碗部１、延展部２及び開口部１０を合わせた外側総面積の略１／４から１／１０を占め、略１／４が最もよい。当該取付部４において、既存の魚釣用たも網の柄１３が着脱可能に取り付けられ、当該魚釣用たも網の柄１３の軸方向に対し、略垂直方向に、碗部の縁辺６が形成されている。当該取付部４は、当該延展部２に形成された延展部の縁辺中心３の近傍に設置する。魚釣用たも網の柄１３と当該取付部４の取り付け構造は、着脱可能なネジ式、または勘合式とする。当該捕獲器を使用の際、水１２や対象となる水生浮遊生物１１を掬い入れた重さで当該捕獲器の形状を損なわないために、延展部２の取付部基部５と、その周辺の強度を高める。さらに、取付部４は、溶接、または、延展部２を貫通させてあて板を施して固定し連結強度を高める。延展部２の取付部基部５と、その周辺の強度を高める工夫として、取付部基部５を設けた延展部面の厚みを増すか、取付部基部５の位置する当該捕獲器延展部２の内側、または内側と外側の両面に耐食性に優れた金属もしくは合成樹脂、あるいは、木質のあて板を施す。
捕獲した水生浮遊生物の収容には、図４のＢで示すように、当該捕獲器が取り付けられた魚釣用たも網の柄１３を開口部１０から内容物を流出させずに引き寄せ、図４のＣで示すように当該魚釣用たも網の柄１３の長さを適宜調整しながら水面に対し垂直に立て引き上げる。当該捕獲器に取り入れた内容物の流出を防ぐための形状として、当該捕獲器の開口部１０の露出した碗部の縁辺６の長さが、延展部の縁辺７の長さより短い。また、当該捕獲器開口部の縁辺は、水生浮遊生物の捕獲時に与える生体との接触による擦過傷など損傷の軽減を図るために、当該捕獲器の製作作業工程における部材の加工において、開口部１０に露出した碗部の縁辺６および延展部の縁辺７の表面はバリ取または磨きを施し、あるいは、当該縁辺の折り曲げ加工を施し、または、シリコン樹脂、ゴム、石油化学製品により被覆し、滑らかな保護加工を施す。さらに、当該水生浮遊生物捕獲器には、開口部１０を除いて、水の流入出が起こる穴、隙間がない。また、当該捕獲器開口部１０側における碗部の縁辺６と延展部の縁辺７の接合点８における角度は略直角から３０度とし、略直角が最もよい。当該接合点８近傍は、テーパーまたはアールを形成する。
当該捕獲器は、海水、汽水、淡水等を問わず使用するため、腐食や劣化などが懸念される。そのため、当該捕獲器の部材は、耐食性に強いプラスチック製のものや強度のある金属製のもの、例えば、チタン、ステンレス、アルミニウム等、または、それらの合金やカーボンなどの部材を適宜用いる。
当該捕獲器は、捕獲者の使用しやすい重さとたも網の柄の強度、さらには捕獲する水生浮遊生物の大きさなどのバランスを考慮し、当該捕獲器の碗部１上端周縁の内径が、およそ１５〜２０ｃｍ、碗部１と延展部２を合わせた縦径を２０〜２５ｃｍとすることで取り扱いが容易となる。
視認が困難な夜間の水生浮遊生物の捕獲効率を上げるために、たも網の柄１３に防水の照明器具１５を設ける。
【実施例】
【００１０】以下、添付図面に基づいて、本考案の水生浮遊生物捕獲器について▲１▼〜▲１３▼に沿って実施例を説明する
▲１▼  図１で示す当該捕獲器は、捕獲した水生浮遊生物を水とともに掬い入れる碗部１を有する。
▲２▼  図１で示す当該捕獲器は、碗部１の上端周縁の一部に接し、碗部１の凹面の上方の一部を覆うように略１／４球形状、または略ドーム状に延展して設けた延展部２を配置する。
▲３▼  図１で示す当該捕獲器の碗部１と延展部２は、溶接やネジ式などにより連結し構成する。また、碗部１と延展部２は、一体的に形成されたものでもよい。
▲４▼  図１で示す当該捕獲器は、既存の魚釣用たも網の柄に着脱可能なように、当該捕獲器上部にあたる延展部の縁辺中心３の近傍に当該捕獲器碗部の縁辺６に対し略垂直方向にネジ式、または勘合式の形状を成す取付部４を設けている。
▲５▼  図２で示す当該捕獲器は、碗部１上端周縁の内径をおよそ１５〜２０ｃｍ、碗部１と延展部２を合わせた縦径を２０〜２５ｃｍとする。
▲６▼  図２で示す当該捕獲器開口部１０の大きさは、碗部１、延展部２及び開口部１０を合わせた外側総面積の略１／４から１／１０を占め、略１／４が最もよい。
▲７▼  図２で示す当該捕獲器の開口部１０の露出した碗部の縁辺６の長さは、延展部の縁辺７の長さより短く、当該碗部の縁辺６の形状は、取付部に取り付けた既存の魚釣用たも網の柄１３の軸方向に対し、略垂直方向に形成されている。
▲８▼  当該捕獲器の部材は、耐食性に強いプラスチック製のものや強度のある金属製のもの、例えば、チタン、ステンレス、アルミニウム等、または、それらの合金やカーボンなどの部材を適宜用いる。
▲９▼  当該捕獲器の製作作業工程における部材の加工において、水生浮遊生物の捕獲時に与える生体との接触による擦過傷など損傷の軽減を図るために、開口部１０に露出した碗部の縁辺６および延展部の縁辺７の表面はバリ取または磨きを施し、あるいは、当該縁辺の折り曲げ加工を施し、または、シリコン樹脂、ゴム、石油化学製品により被覆し、滑らかな保護加工を施す。
▲１０▼  当該捕獲器開口部１０側における碗部の縁辺６と延展部の縁辺７の接合点８における角度は略直角から３０度とし、略直角が最もよい。当該接合点８近傍は、テーパーまたはアールを形成する。
▲１１▼  当該捕獲器を置くため、当該捕獲器の一部に平面部９を設ける
▲１２▼  図３で示すように、捕獲対象の水生浮遊生物は、浮遊する近傍の水とともに当該捕獲器の容積の略２／３または、それ以下の容量で当該捕獲器の開口部１０から掬い納める
▲１３▼  図４のＤで示すように、夜間に行う水生浮遊生物の捕獲では、当該捕獲器を接続した既存のたも網の柄１３に取付けた防水照明器具１５を点灯する。
【産業上の利用可能性】
【００１１】水生浮遊生物捕獲器は、調査・研究・飼育・展示・販売・教育活動に利用することを目的とする
【符号の説明】
【００１２】１…碗部
２…延展部
３…延展部の縁辺中心
４…取付部
５…取付部基部
６…碗部の縁辺
７…延展部の縁辺
８…碗部の縁辺６と延展部の縁辺７の接合点
９…平面部
１０…開口部
１１…水生浮遊生物
１２…水
１３…魚釣用たも網の柄
１４…堤防・防波堤・桟橋などの人工構造物や磯などの陸地、及び浮桟橋や船上
１５…防水の照明器具
【図１】
0003176615.tif 000003
【図２】
0003176615.tif 000004
【図３】
0003176615.tif 000005
【図４】
0003176615.tif 000006